(57)【特許請求の範囲】
【請求項１】
無線通信システムにおける端末のＶ２Ｘ（ｖｅｈｉｃｌｅ−ｔｏ−ｅｖｅｒｙｔｈｉｎｇ）信号の送信又は受信方法であって、
第１の領域及び第２の領域に共通に設定された第１の搬送波を介してＶ２Ｘ制御信号を送信又は受信し、
スケジューリング情報に基づいて、前記第１の領域に設定された第２の搬送波または前記第２の領域に設定された第３の搬送波を介してＶ２Ｘデータを送信又は受信し、
前記Ｖ２Ｘ制御信号は、前記第２の搬送波及び前記第３の搬送波のそれぞれを介して送信又は受信する、前記Ｖ２Ｘデータの前記スケジューリング情報を含む、方法。
【請求項２】
前記第１の領域及び前記第２の領域は、隣接した互いに異なる地理的な領域である、請求項１に記載の方法。
【請求項３】
前記第１の搬送波は、前記Ｖ２Ｘ制御信号の送信又は受信、及び前記Ｖ２Ｘデータの送信又は受信が両方とも許容されるように設定された搬送波である、請求項１に記載の方法。
【請求項４】
前記第２の搬送波及び前記第３の搬送波の各々は、前記Ｖ２Ｘデータの送信又は受信のみが許容されるように設定された搬送波である、請求項３に記載の方法。
【請求項５】
前記端末は、前記第１の領域と前記第２の領域の境界に位置する端末である、請求項１に記載の方法。
【請求項６】
前記端末は、前記第１の領域及び前記第２の領域に設定された搬送波の個数より少ない個数の送信チェーンまたは受信チェーンを備える制限された能力の端末である、請求項１に記載の方法。
【請求項７】
前記端末が前記第１の搬送波及び前記第３の搬送波を介してＶ２Ｘ信号を同時に送信するように設定されたメッセージを受信した場合、
前記第１の搬送波を介して前記Ｖ２Ｘ信号を送信した後、前記送信チェーンを変更し、前記第３の搬送波を介して前記Ｖ２Ｘ信号を送信する、請求項６に記載の方法。
【請求項８】
前記端末が前記第１の搬送波及び前記第３の搬送波を介してＶ２Ｘ信号を同時に受信するように設定されたメッセージを受信した場合、
前記第１の搬送波を介して前記Ｖ２Ｘ信号を受信した後、前記受信チェーンを変更し、前記第３の搬送波を介して前記Ｖ２Ｘ信号を受信する、請求項６に記載の方法。
【請求項９】
前記端末がＶ２Ｘ信号の送信動作を実行する搬送波の混雑度が閾値以上である場合、異なる搬送波で前記Ｖ２Ｘ信号の送信動作を実行するように指示するメッセージを受信することをさらに含む、請求項１に記載の方法。
【請求項１０】
前記メッセージを受信すると、前記端末は、前記異なる搬送波で前記Ｖ２Ｘ信号の送信動作を実行する、請求項９に記載の方法。
【請求項１１】
前記端末が特定の搬送波で前記Ｖ２Ｘ信号を受信している間、異なる搬送波で、前記特定の搬送波の前記Ｖ２Ｘ信号より高い優先順位を有するＶ２Ｘ信号を異なる端末が送信していることを検出すると、
受信チェーンスイッチング後、高い優先順位を有するＶ２Ｘ信号は前記異なる搬送波で受信される、請求項１に記載の方法。
【請求項１２】
前記第１の領域、前記第２の領域及び第３の領域は、Ｖ２Ｘエンティティのカバリッジに基づいて決定される、請求項１に記載の方法。
【請求項１３】
送信／受信の前に前記第１の搬送波を優先的にモニタすることをさらに含む、請求項１に記載の方法。
【請求項１４】
前記端末が、前記第１の領域又は前記第２の領域にあるかを決定することをさらに含む、請求項１に記載の方法。
【請求項１５】
前記端末が、前記決定に関わらず、前記第１の搬送波を介して前記Ｖ２Ｘ制御信号を送信又は受信する、請求項１４に記載の方法。
【請求項１６】
前記端末が、前記端末は特定の領域にいると決定する時、前記端末は特定の搬送波を介して前記Ｖ２Ｘデータを送信又は受信し、
前記特定の領域は、前記第１の領域又は前記第２の領域であり、
前記端末が前記端末は前記第１の領域にいると決定する時、前記特定の搬送波は、前記第２の搬送波であり、
前記端末が前記端末は前記第２の領域にいると決定する時、前記特定の搬送波は、前記第３の搬送波である、請求項１４に記載の方法。
【請求項１７】
Ｖ２Ｘ（ｖｅｈｉｃｌｅ−ｔｏ−ｅｖｅｒｙｔｈｉｎｇ）信号を送信及び受信する端末であって、
無線信号を送信及び受信するＲＦ（Ｒａｄｉｏ  Ｆｒｅｑｕｅｎｃｙ）部と、
前記ＲＦ部と結合して動作するプロセッサとを含み、
前記プロセッサは、
第１の領域及び第２の領域に共通に設定された第１の搬送波を介してＶ２Ｘ制御信号を送信又は受信し、
スケジューリング情報に基づいて、前記第１の領域に設定された第２の搬送波または前記第２の領域に設定された第３の搬送波を介してＶ２Ｘデータを送信又は受信するように設定され、
前記Ｖ２Ｘ制御信号は、前記第２の搬送波及び前記第３の搬送波のそれぞれを介して送信又は受信する、前記Ｖ２Ｘデータの前記スケジューリング情報を含む、端末。
【発明の詳細な説明】
【技術分野】
【０００１】
本発明は、無線通信に関し、より詳しくは、無線通信システムにおける端末のＶ２Ｘ信号送受信方法及び前記方法を利用する端末に関する。
【背景技術】
【０００２】
ＩＴＵ−Ｒ（Ｉｎｔｅｒｎａｔｉｏｎａｌ  Ｔｅｌｅｃｏｍｍｕｎｉｃａｔｉｏｎ  Ｕｎｉｏｎ  Ｒａｄｉｏ  ｃｏｍｍｕｎｉｃａｔｉｏｎ  ｓｅｃｔｏｒ）では、３世代以後の次世代移動通信システムであるＩＭＴ（Ｉｎｔｅｒｎａｔｉｏｎａｌ  Ｍｏｂｉｌｅ  Ｔｅｌｅｃｏｍｍｕｎｉｃａｔｉｏｎ）−Ａｄｖａｎｃｅｄの標準化作業が進行している。ＩＭＴ−Ａｄｖａｎｃｅｄは、停止及び低速移動状態で１Ｇｂｐｓ、高速移動状態で１００Ｍｂｐｓのデータ送信率でＩＰ（Ｉｎｔｅｒｎｅｔ  Ｐｒｏｔｏｃｏｌ）ベースのマルチメディアサービスのサポートを目標とする。
【０００３】
３ＧＰＰ（３ｒｄ  Ｇｅｎｅｒａｔｉｏｎ  Ｐａｒｔｎｅｒｓｈｉｐ  Ｐｒｏｊｅｃｔ）は、ＩＭＴ−Ａｄｖａｎｃｅｄの要求事項を満たすシステム標準として、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）／ＳＣ−ＦＤＭＡ（Ｓｉｎｇｌｅ  Ｃａｒｒｉｅｒ−Ｆｒｅｑｕｅｎｃｙ  Ｄｉｖｉｓｉｏｎ  Ｍｕｌｔｉｐｌｅ  Ａｃｃｅｓｓ）送信方式ベースのＬＴＥ（Ｌｏｎｇ  Ｔｅｒｍ  Ｅｖｏｌｕｔｉｏｎ）を改善したＬＴＥ−Ａｄｖａｎｃｅｄ（ＬＴＥ−Ａ）を用意している。ＬＴＥ−Ａは、ＩＭＴ−Ａｄｖａｎｃｅｄのための有力な候補のうち一つである。
【０００４】
最近、装置間の直接通信をするＤ２Ｄ（Ｄｅｖｉｃｅ−ｔｏ−Ｄｅｖｉｃｅ）技術に対する関心が高まっている。特に、Ｄ２Ｄは、公衆安全ネットワーク（ｐｕｂｌｉｃ  ｓａｆｅｔｙ  ｎｅｔｗｏｒｋ）のための通信技術として注目されている。商業的通信ネットワークは、ＬＴＥに速く変化しているが、既存通信規格との衝突問題と費用側面のため、現在の公衆安全ネットワークは、主に２Ｇ技術に基づいている。このような技術の間隙と改善されたサービスに対する要求は、公衆安全ネットワークを改善しようとする努力につながっている。
【０００５】
公衆安全ネットワークは、商業的通信ネットワークに比べて高いサービス要求条件（信頼度及び保安性）を有し、特に、セルラー通信のカバレッジが届かない場合、または利用可能でない場合、装置間の直接通信、即ち、Ｄ２Ｄ動作も要求している。
【０００６】
Ｄ２Ｄ動作は、近接した機器間の通信という点で多様な長所を有することができる。例えば、Ｄ２Ｄ端末は、高い送信率及び低い遅延を有し、データ通信をすることができる。また、Ｄ２Ｄ動作は、基地局に集まるトラフィックを分散させることができ、Ｄ２Ｄ端末が中継器の役割をする場合、基地局のカバレッジを拡張させる役割もすることができる。
【０００７】
一方、Ｄ２Ｄ動作は、Ｖ２Ｘ（ｖｅｈｉｃｌｅ−ｔｏ−ｅｖｅｒｙｔｈｉｎｇ）にも適用されることができる。Ｖ２Ｘは、車両と全てのインターフェースを介した通信技術を通称する。Ｖ２Ｘの具現形態は、例えば、Ｖ２Ｖ（ｖｅｈｉｃｌｅ−ｔｏ−ｖｅｈｉｃｌｅ）、Ｖ２Ｉ（ｖｅｈｉｃｌｅ−ｔｏ−ｉｎｆｒａｓｔｒｕｃｔｕｒｅ）、Ｖ２Ｐ（ｖｅｈｉｃｌｅ−ｔｏ−ｐｅｒｓｏｎ）、Ｖ２Ｎ（ｖｅｈｉｃｌｅ−ｔｏ−ｎｅｔｗｏｒｋ）等、多様である。
【０００８】
このようなＶ２Ｘ通信は、単一搬送波で実行されることもできるが、複数の搬送波で実行されることもできる。そして、隣接した領域で互いに異なる複数の搬送波がＶ２Ｘ通信のために設定されることができる。この場合、端末が第１の領域でＶ２Ｘ通信を実行する途中に第２の領域に入る場合、設定された搬送波が変わるため、該当搬送波での信号送受信のために信号の送信チェーン（ｔｒａｎｓｍｉｓｓｉｏｎ  ｃｈａｉｎ）または受信チェーン（ｒｅｃｅｐｔｉｏｎ  ｃｈａｉｎ）をスイッチングしなければならない場合がある。信号送／受信チェーンのスイッチング（または、搬送波スイッチング）には一定な時間がかかるため、Ｖ２Ｘ通信の連続性に問題が発生できる。
【０００９】
また、第１の領域と第２の領域の境界の近くに位置する端末に、例えば、第１の領域に位置するという理由で、第１の領域に設定された搬送波のみを利用してＶ２Ｘ通信を実行するようにすることが非効率的である。例えば、第１の領域の搬送波が著しく混雑したり衝突が頻繁に発生したりする場合も第１の領域の搬送波のみを使用するようにすることは非効率的である。
【００１０】
複数の搬送波環境でＶ２Ｘ信号を効率的に送受信できる方法及び装置が必要である。
【発明の概要】
【発明が解決しようとする課題】
【００１１】
本発明が解決しようとする技術的課題は、無線通信システムにおける端末のＶ２Ｘ信号の送受信方法及び前記方法を利用する端末を提供することにある。
【課題を解決するための手段】
【００１２】
一側面において、無線通信システムにおける端末のＶ２Ｘ（ｖｅｈｉｃｌｅ−ｔｏ−ｅｖｅｒｙｔｈｉｎｇ）信号の送受信方法を提供する。前記方法は、第１の領域及び第２の領域に共通に設定された第１の搬送波を介してＶ２Ｘ制御信号を送受信し、及び前記第１の領域に設定された第２の搬送波または前記第２の領域に設定された第３の搬送波を介してＶ２Ｘデータを送受信することを特徴とする。
【００１３】
前記第１の領域及び前記第２の領域は、隣接した互いに異なる地理的領域である。
【００１４】
前記第１の搬送波は、Ｖ２Ｘ制御信号の送受信及びＶ２Ｘデータの送受信が両方とも許容されるように設定された搬送波である。
【００１５】
前記第２の搬送波及び前記第３の搬送波の各々は、Ｖ２Ｘデータの送受信のみが許容されるように設定された搬送波である。
【００１６】
前記端末は、前記第１の領域と前記第２の領域の境界に位置する端末である。
【００１７】
前記端末は、前記第１の領域及び前記第２の領域に設定された搬送波の個数より少ない個数の送信チェーンまたは受信チェーンを備える制限された能力の端末である。
【００１８】
前記端末が前記第１の搬送波及び前記第３の搬送波を介してＶ２Ｘ信号を同時に送信するように設定するメッセージを受信した場合、前記第１の搬送波を介してＶ２Ｘ信号を送信した後、送信チェーンの変更を実行し、前記第３の搬送波を介してＶ２Ｘ信号を送信する。
【００１９】
前記端末が前記第１の搬送波及び前記第３の搬送波を介してＶ２Ｘ信号を同時に受信するように設定するメッセージを受信した場合、前記第１の搬送波を介してＶ２Ｘ信号を受信した後、受信チェーンの変更を実行し、前記第３の搬送波を介してＶ２Ｘ信号を受信する。
【００２０】
前記端末がＶ２Ｘ信号の送信動作を実行する搬送波の混雑度が閾値以上である場合、他の搬送波でＶ２Ｘ信号の送信動作を実行するように指示するメッセージをさらに受信する。
【００２１】
前記メッセージを受信する場合、前記端末は、前記他の搬送波でＶ２Ｘ信号の送信動作を実行する。
【００２２】
前記端末が特定搬送波でＶ２Ｘ信号を受信している途中に、他の搬送波で前記特定搬送波のＶ２Ｘ信号より高い優先順位を有するＶ２Ｘ信号を他の端末が送信していることを検出する場合、受信チェーンスイッチング後、前記他の搬送波で前記高い優先順位を有するＶ２Ｘ信号を受信する。
【００２３】
他の側面で提供されるＶ２Ｘ（ｖｅｈｉｃｌｅ−ｔｏ−ｅｖｅｒｙｔｈｉｎｇ）信号を送受信する端末は、無線信号を送信及び受信するＲＦ（Ｒａｄｉｏ  Ｆｒｅｑｕｅｎｃｙ）部及び前記ＲＦ部と結合して動作するプロセッサを含み、前記プロセッサは、第１の領域及び第２の領域に共通に設定された第１の搬送波を介してＶ２Ｘ制御信号を送受信し、及び前記第１の領域に設定された第２の搬送波または前記第２の領域に設定された第３の搬送波を介してＶ２Ｘデータを送受信することを特徴とする。
【発明の効果】
【００２４】
隣接した２個の領域で、Ｖ２Ｘ制御信号を送受信することができる搬送波は共有し、Ｖ２Ｘデータを送受信することができる搬送波は独立に設定するため、端末が前記２個の領域で移動してもＶ２Ｘ通信の連続性を保障することができる。また、混雑度が高かったり衝突が発生したりする第１の領域の搬送波の代わりに第２の領域の搬送波を使用することができるため、Ｖ２Ｘ通信の性能を向上させることができる。
【図面の簡単な説明】
【００２５】
【図１】無線通信システムを示す。
【図２】ユーザ平面（ｕｓｅｒ  ｐｌａｎｅ）に対する無線プロトコル構造（ｒａｄｉｏ  ｐｒｏｔｏｃｏｌ  ａｒｃｈｉｔｅｃｔｕｒｅ）を示すブロック図である。
【図３】制御平面（ｃｏｎｔｒｏｌ  ｐｌａｎｅ）に対する無線プロトコル構造を示すブロック図である。
【図４】ＰｒｏＳｅのための基準構造を示す。
【図５】D2Dの動作を実行する端末とセルカバレッジの配置例を示す。
【図６】規則＃Ａによる領域別搬送波設定を例示する。
【図７】本発明の一実施例に係る端末のＶ２Ｘ信号送受信方法を示す。
【図８】規則＃Ｂによる領域別搬送波設定を例示する。
【図９】本発明の他の実施例に係る端末のＶ２Ｘ信号送受信方法を示す。
【図１０】制限された能力のＶ２Ｘエンティティが互いに異なる搬送波で同時に信号を送受信するように設定するメッセージを受信した場合の動作方法を例示する。
【図１１】制限された能力のＶ２Ｘエンティティの動作と多重搬送波送信（／受信）能力を有するＶ２Ｘエンティティの動作を比較した図面である。
【図１２】Ｖ２Ｘ信号送信の混雑度を低くする端末動作を例示する。
【図１３】図１２の方法による時、制限された能力のＶ２Ｘエンティティが信号を送信するリソースを例示する。
【図１４】制限された受信能力を有するＶ２Ｘエンティティの動作方法を例示する。
【図１５】図１４の方法を適用する時、制限された受信能力Ｖ２Ｘエンティティの動作方法を例示する。
【図１６】本発明の実施例が具現される端末を示すブロック図である。
【発明を実施するための形態】
【００２６】
図１は、無線通信システムを示す。
【００２７】
これはＥ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）、またはＬＴＥ（Ｌｏｎｇ  Ｔｅｒｍ  Ｅｖｏｌｕｔｉｏｎ）／ＬＴＥ−Ａシステムとも呼ばれる。
【００２８】
Ｅ−ＵＴＲＡＮは、端末（Ｕｓｅｒ  Ｅｑｕｉｐｍｅｎｔ、ＵＥ）１０に制御平面（ｃｏｎｔｒｏｌ  ｐｌａｎｅ）とユーザ平面（ｕｓｅｒ  ｐｌａｎｅ）を提供する基地局（Ｂａｓｅ  Ｓｔａｔｉｏｎ、ＢＳ）２０を含む。端末１０は、固定されてもよいし、移動性を有してもよく、ＭＳ（Ｍｏｂｉｌｅ  ｓｔａｔｉｏｎ）、ＵＴ（Ｕｓｅｒ  Ｔｅｒｍｉｎａｌ）、ＳＳ（Ｓｕｂｓｃｒｉｂｅｒ  Ｓｔａｔｉｏｎ）、ＭＴ（ｍｏｂｉｌｅ  ｔｅｒｍｉｎａｌ）、無線機器（Ｗｉｒｅｌｅｓｓ  Ｄｅｖｉｃｅ）等、他の用語で呼ばれることもある。基地局２０は、端末１０と通信する固定局（ｆｉｘｅｄ  ｓｔａｔｉｏｎ）を意味し、ｅＮＢ（ｅｖｏｌｖｅｄ−ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）等、他の用語で呼ばれることもある。
【００２９】
基地局２０は、Ｘ２インターフェースを介して互いに連結されることができる。基地局２０は、Ｓ１インターフェースを介してＥＰＣ（Ｅｖｏｌｖｅｄ  Ｐａｃｋｅｔ  Ｃｏｒｅ）３０、より詳しくは、Ｓ１−ＭＭＥを介してＭＭＥ（Ｍｏｂｉｌｉｔｙ  Ｍａｎａｇｅｍｅｎｔ  Ｅｎｔｉｔｙ）と連結され、Ｓ１−Ｕを介してＳ−ＧＷ（Ｓｅｒｖｉｎｇ  Ｇａｔｅｗａｙ）と連結される。
【００３０】
ＥＰＣ３０は、ＭＭＥ、Ｓ−ＧＷ及びＰ−ＧＷ（Ｐａｃｋｅｔ  Ｄａｔａ  Ｎｅｔｗｏｒｋ−Ｇａｔｅｗａｙ）で構成される。ＭＭＥは、端末の接続情報や端末の能力に対する情報を有しており、このような情報は、端末の移動性管理に主に使われる。Ｓ−ＧＷは、Ｅ−ＵＴＲＡＮを終端点として有するゲートウェイであり、Ｐ−ＧＷは、ＰＤＮを終端点として有するゲートウェイである。
【００３１】
端末とネットワークとの間の無線インターフェースプロトコル（Ｒａｄｉｏ  Ｉｎｔｅｒｆａｃｅ  Ｐｒｏｔｏｃｏｌ）の階層は、通信システムで広く知られた開放型システム間相互接続（Ｏｐｅｎ  Ｓｙｓｔｅｍ  Ｉｎｔｅｒｃｏｎｎｅｃｔｉｏｎ；ＯＳＩ）基準モデルの下位３個階層に基づいてＬ１（第１の階層）、Ｌ２（第２の階層）、Ｌ３（第３の階層）に区分されることができ、このうち、第１の階層に属する物理階層は、物理チャネル（Ｐｈｙｓｉｃａｌ  Ｃｈａｎｎｅｌ）を利用した情報転送サービス（Ｉｎｆｏｒｍａｔｉｏｎ  Ｔｒａｎｓｆｅｒ  Ｓｅｒｖｉｃｅ）を提供し、第３の階層に位置するＲＲＣ（Ｒａｄｉｏ  Ｒｅｓｏｕｒｃｅ  Ｃｏｎｔｒｏｌ）階層は、端末とネットワークとの間に無線リソースを制御する役割を遂行する。そのために、ＲＲＣ階層は、端末と基地局との間のＲＲＣメッセージを交換する。
【００３２】
図2は、ユーザ平面（ｕｓｅｒ  ｐｌａｎｅ）に対する無線プロトコル構造（ｒａｄｉｏ  ｐｒｏｔｏｃｏｌ  ａｒｃｈｉｔｅｃｔｕｒｅ）を示すブロック図である。図3は、制御平面（ｃｏｎｔｒｏｌ  ｐｌａｎｅ）に対する無線プロトコル構造を示すブロック図である。ユーザ平面は、ユーザデータ送信のためのプロトコルスタック（ｐｒｏｔｏｃｏｌ ｓｔａｃｋ）であり、制御平面は、制御信号送信のためのプロトコルスタックである
【００３３】
図2及び図3を参照すると、物理階層（ＰＨＹ（ｐｈｙｓｉｃａｌ）  ｌａｙｅｒ）は、物理チャネル（ｐｈｙｓｉｃａｌ  ｃｈａｎｎｅｌ）を利用して上位階層に情報転送サービス（ｉｎｆｏｒｍａｔｉｏｎ  ｔｒａｎｓｆｅｒ  ｓｅｒｖｉｃｅ）を提供する。物理階層は、上位階層であるＭＡＣ（Ｍｅｄｉｕｍ  Ａｃｃｅｓｓ  Ｃｏｎｔｒｏｌ）階層とはトランスポートチャネル（ｔｒａｎｓｐｏｒｔ  ｃｈａｎｎｅｌ）を介して連結されている。トランスポートチャネルを介してＭＡＣ階層と物理階層との間にデータが移動する。トランスポートチャネルは、無線インターフェースを介して、データが、どのように、どのような特徴にトランスポートされるかによって分類される。
【００３４】
互いに異なる物理階層間、即ち、送信機と受信機の物理階層間は、物理チャネルを介してデータが移動する。前記物理チャネルは、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式に変調されることができ、時間と周波数を無線リソースとして活用する。
【００３５】
ＭＡＣ階層の機能は、論理チャネルとトランスポートチャネルとの間のマッピング、及び論理チャネルに属するＭＡＣ  ＳＤＵ（ｓｅｒｖｉｃｅ  ｄａｔａ  ｕｎｉｔ）のトランスポートチャネル上に物理チャネルで提供されるトランスポートブロック（ｔｒａｎｓｐｏｒｔ  ｂｌｏｃｋ）への多重化／逆多重化を含む。ＭＡＣ階層は、論理チャネルを介してＲＬＣ（Ｒａｄｉｏ  Ｌｉｎｋ  Ｃｏｎｔｒｏｌ）階層にサービスを提供する。
【００３６】
ＲＬＣ階層の機能は、ＲＬＣ  ＳＤＵの連結（ｃｏｎｃａｔｅｎａｔｉｏｎ）、分割（ｓｅｇｍｅｎｔａｔｉｏｎ）及び再結合（ｒｅａｓｓｅｍｂｌｙ）を含む。無線ベアラ（Ｒａｄｉｏ  Ｂｅａｒｅｒ；ＲＢ）が要求する多様なＱｏＳ（Ｑｕａｌｉｔｙ  ｏｆ  Ｓｅｒｖｉｃｅ）を保障するために、ＲＬＣ階層は、透明モード（Ｔｒａｎｓｐａｒｅｎｔ  Ｍｏｄｅ、ＴＭ）、非確認モード（Ｕｎａｃｋｎｏｗｌｅｄｇｅｄ  Ｍｏｄｅ、ＵＭ）及び確認モード（Ａｃｋｎｏｗｌｅｄｇｅｄ  Ｍｏｄｅ、ＡＭ）の三つの動作モードを提供する。ＡＭ  ＲＬＣは、ＡＲＱ（ａｕｔｏｍａｔｉｃ  ｒｅｐｅａｔ  ｒｅｑｕｅｓｔ）を介してエラー訂正を提供する。
【００３７】
ＲＲＣ（Ｒａｄｉｏ  Ｒｅｓｏｕｒｃｅ  Ｃｏｎｔｒｏｌ）階層は、制御平面でのみ定義される。ＲＲＣ階層は、無線ベアラの設定（ｃｏｎｆｉｇｕｒａｔｉｏｎ）、再設定（ｒｅ−ｃｏｎｆｉｇｕｒａｔｉｏｎ）及び解除（ｒｅｌｅａｓｅ）と関連して論理チャネル、トランスポートチャネル及び物理チャネルの制御を担当する。ＲＢは、端末とネットワークとの間のデータ伝達のために、第１の階層（ＰＨＹ階層）及び第２の階層（ＭＡＣ階層、ＲＬＣ階層、ＰＤＣＰ階層）により提供される論理的経路を意味する。
【００３８】
ユーザ平面でのＰＤＣＰ（Ｐａｃｋｅｔ  Ｄａｔａ  Ｃｏｎｖｅｒｇｅｎｃｅ  Ｐｒｏｔｏｃｏｌ）階層の機能は、ユーザデータの伝達、ヘッダ圧縮（ｈｅａｄｅｒ  ｃｏｍｐｒｅｓｓｉｏｎ）及び暗号化（ｃｉｐｈｅｒｉｎｇ）を含む。制御平面でのＰＤＣＰ（Ｐａｃｋｅｔ  Ｄａｔａ  Ｃｏｎｖｅｒｇｅｎｃｅ  Ｐｒｏｔｏｃｏｌ）階層の機能は、制御平面データの伝達及び暗号化／完全性保護（ｉｎｔｅｇｒｉｔｙ  ｐｒｏｔｅｃｔｉｏｎ）を含む。
【００３９】
ＲＢが設定されるとは、特定サービスを提供するために、無線プロトコル階層及びチャネルの特性を規定し、それぞれの具体的なパラメータ及び動作方法を設定する過程を意味する。また、ＲＢは、ＳＲＢ（Ｓｉｇｎａｌｉｎｇ  ＲＢ）とＤＲＢ（Ｄａｔａ  ＲＢ）の二つに分けられる。ＳＲＢは、制御平面でＲＲＣメッセージを送信する通路として使われ、ＤＲＢは、ユーザ平面でユーザデータを送信する通路として使われる。
【００４０】
端末のＲＲＣ階層とＥ−ＵＴＲＡＮのＲＲＣ階層との間にＲＲＣ接続（ＲＲＣ  Ｃｏｎｎｅｃｔｉｏｎ）が確立される場合、端末は、ＲＲＣ接続（ＲＲＣ  ｃｏｎｎｅｃｔｅｄ）状態になり、そうでない場合、ＲＲＣアイドル（ＲＲＣ  ｉｄｌｅ）状態になる。
【００４１】
ネットワークから端末にデータを送信するダウンリンクトランスポートチャネルには、システム情報を送信するＢＣＨ（Ｂｒｏａｄｃａｓｔ  Ｃｈａｎｎｅｌ）と、ユーザトラフィックや制御メッセージを送信するダウンリンクＳＣＨ（Ｓｈａｒｅｄ  Ｃｈａｎｎｅｌ）がある。ダウンリンクマルチキャストまたはブロードキャストサービスのトラフィックまたは制御メッセージの場合、ダウンリンクＳＣＨを介して送信されることもでき、または別途のダウンリンクＭＣＨ（Ｍｕｌｔｉｃａｓｔ  Ｃｈａｎｎｅｌ）を介して送信されることもできる。一方、端末からネットワークにデータを送信するアップリンクトランスポートチャネルとしては、初期制御メッセージを送信するＲＡＣＨ（Ｒａｎｄｏｍ  Ａｃｃｅｓｓ  Ｃｈａｎｎｅｌ）と、ユーザトラフィックや制御メッセージを送信するアップリンクＳＣＨ（Ｓｈａｒｅｄ  Ｃｈａｎｎｅｌ）がある。
【００４２】
トランスポートチャネル上位にあり、トランスポートチャネルにマッピングされる論理チャネル（Ｌｏｇｉｃａｌ  Ｃｈａｎｎｅｌ）には、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＣＣＣＨ（Ｃｏｍｍｏｎ  Ｃｏｎｔｒｏｌ  Ｃｈａｎｎｅｌ）、ＭＣＣＨ（Ｍｕｌｔｉｃａｓｔ  Ｃｏｎｔｒｏｌ  Ｃｈａｎｎｅｌ）、ＭＴＣＨ（Ｍｕｌｔｉｃａｓｔ  Ｔｒａｆｆｉｃ  Ｃｈａｎｎｅｌ）などがある。
【００４３】
物理チャネル（Ｐｈｙｓｉｃａｌ  Ｃｈａｎｎｅｌ）は、時間領域で複数個のＯＦＤＭシンボルと周波数領域で複数個の副搬送波（Ｓｕｂ−ｃａｒｒｉｅｒ）とで構成される。一つのサブフレーム（Ｓｕｂ−ｆｒａｍｅ）は、時間領域で複数のＯＦＤＭシンボル（Ｓｙｍｂｏｌ）で構成される。リソースブロックは、リソース割当単位であり、複数のＯＦＤＭシンボルと複数の副搬送波（ｓｕｂ−ｃａｒｒｉｅｒ）とで構成される。また、各サブフレームは、ＰＤＣＣＨ（Ｐｈｙｓｉｃａｌ  Ｄｏｗｎｌｉｎｋ  Ｃｏｎｔｒｏｌ  Ｃｈａｎｎｅｌ）、即ち、Ｌ１／Ｌ２制御チャネルのために、該当サブフレームの特定ＯＦＤＭシンボル（例えば、１番目のＯＦＤＭシンボル）の特定副搬送波を利用することができる。ＴＴＩ（Ｔｒａｎｓｍｉｓｓｉｏｎ  Ｔｉｍｅ  Ｉｎｔｅｒｖａｌ）は、サブフレーム送信の単位時間である。
【００４４】
ＲＲＣ状態とは、端末のＲＲＣ階層がＥ−ＵＴＲＡＮのＲＲＣ階層と論理的接続（ｌｏｇｉｃａｌ  ｃｏｎｎｅｃｔｉｏｎ）されているかどうかを意味し、接続している場合はＲＲＣ接続状態（ＲＲＣ＿ＣＯＮＮＥＣＴＥＤ）といい、接続されていない場合はＲＲＣアイドル状態（ＲＲＣ＿ＩＤＬＥ）という。ＲＲＣ接続状態の端末は、ＲＲＣ接続が存在するため、Ｅ−ＵＴＲＡＮは、該当端末の存在をセル単位で把握することができ、したがって、端末を効果的に制御することができる。それに対し、ＲＲＣアイドル状態の端末は、Ｅ−ＵＴＲＡＮが把握することができず、セルより大きい地域単位であるトラッキング領域（Ｔｒａｃｋｉｎｇ  Ａｒｅａ）単位でＣＮ（ｃｏｒｅ  ｎｅｔｗｏｒｋ）が管理する。即ち、ＲＲＣアイドル状態の端末は、大きい地域単位に存在可否のみが把握され、音声やデータのような通常の移動通信サービスを受けるためにはＲＲＣ接続状態に移動しなければならない。
【００４５】
ユーザが端末の電源を最初にオンにした時、端末は、まず、適切なセルを探索した後、該当セルでＲＲＣアイドル状態にとどまる。ＲＲＣアイドル状態の端末は、ＲＲＣ接続を確立する必要がある時になって初めてＲＲＣ接続過程（ＲＲＣ  ｃｏｎｎｅｃｔｉｏｎ  ｐｒｏｃｅｄｕｒｅ）を介してＥ−ＵＴＲＡＮとＲＲＣ接続を確立し、ＲＲＣ接続状態に移動する。ＲＲＣアイドル状態の端末がＲＲＣ接続を確立する必要がある場合は多様であり、例えば、ユーザの通話試みなどの理由で上りデータ送信が必要な場合、またはＥ−ＵＴＲＡＮからページング（ｐａｇｉｎｇ）メッセージを受信した場合、これに対する応答メッセージ送信などを挙げることができる。
【００４６】
ＲＲＣ階層の上位に位置するＮＡＳ（Ｎｏｎ−Ａｃｃｅｓｓ  Ｓｔｒａｔｕｍ）階層は、セッション管理（Ｓｅｓｓｉｏｎ  Ｍａｎａｇｅｍｅｎｔ）と移動性管理（Ｍｏｂｉｌｉｔｙ  Ｍａｎａｇｅｍｅｎｔ）などの機能を遂行する。
【００４７】
ＮＡＳ階層で端末の移動性を管理するために、ＥＭＭ−ＲＥＧＩＳＴＥＲＥＤ（ＥＰＳ  Ｍｏｂｉｌｉｔｙ  Ｍａｎａｇｅｍｅｎｔ−ＲＥＧＩＳＴＥＲＥＤ）及びＥＭＭ−ＤＥＲＥＧＩＳＴＥＲＥＤの二つの状態が定義されており、この二つの状態は、端末とＭＭＥに適用される。初期端末は、ＥＭＭ−ＤＥＲＥＧＩＳＴＥＲＥＤ状態であり、この端末がネットワークに接続するために初期連結（Ｉｎｉｔｉａｌ  Ａｔｔａｃｈ）手順を介して該当ネットワークに登録する過程を実行する。前記連結（Ａｔｔａｃｈ）手順が成功裏に遂行されると、端末及びＭＭＥは、ＥＭＭ−ＲＥＧＩＳＴＥＲＥＤ状態になる。
【００４８】
端末とＥＰＣとの間のシグナリング接続（ｓｉｇｎａｌｉｎｇ  ｃｏｎｎｅｃｔｉｏｎ）を管理するために、ＥＣＭ（ＥＰＳ  Ｃｏｎｎｅｃｔｉｏｎ  Ｍａｎａｇｅｍｅｎｔ）−ＩＤＬＥ状態及びＥＣＭ−ＣＯＮＮＥＣＴＥＤ状態の二つの状態が定義されており、この二つの状態は、端末及びＭＭＥに適用される。ＥＣＭ−ＩＤＬＥ状態の端末がＥ−ＵＴＲＡＮとＲＲＣ接続を確立すると、該当端末は、ＥＣＭ−ＣＯＮＮＥＣＴＥＤ状態になる。ＥＣＭ−ＩＤＬＥ状態にあるＭＭＥは、Ｅ−ＵＴＲＡＮとＳ１接続（Ｓ１  ｃｏｎｎｅｃｔｉｏｎ）を確立すると、ＥＣＭ−ＣＯＮＮＥＣＴＥＤ状態になる。端末がＥＣＭ−ＩＤＬＥ状態にある時、Ｅ−ＵＴＲＡＮは、端末のコンテキスト（ｃｏｎｔｅｘｔ）情報を有していない。したがって、ＥＣＭ−ＩＤＬＥ状態の端末は、ネットワークの命令を受ける必要なく、セル選択（ｃｅｌｌ  ｓｅｌｅｃｔｉｏｎ）またはセル再選択（ｒｅｓｅｌｅｃｔｉｏｎ）のような端末ベースの移動性関連手順を実行する。それに対し、端末がＥＣＭ−ＣＯＮＮＥＣＴＥＤ状態にある時、端末の移動性は、ネットワークの命令により管理される。ＥＣＭ−ＩＤＬＥ状態で端末の位置が、ネットワークが知っている位置と異なる場合、端末は、トラッキング領域更新（Ｔｒａｃｋｉｎｇ  Ａｒｅａ  Ｕｐｄａｔｅ）手順を介してネットワークに端末の該当位置を知らせる。
【００４９】
次に、Ｄ２Ｄ動作に対して説明する。３ＧＰＰ  ＬＴＥ−Ａでは、Ｄ２Ｄ動作と関連しているサービスを近接サービス（Ｐｒｏｘｉｍｉｔｙ  Ｓｅｒｖｉｃｅｓ：ＰｒｏＳｅ）という。以下、近接サービス（ＰｒｏＳｅ）に対して記述する。以下、ＰｒｏＳｅは、Ｄ２Ｄ動作と同等な概念であり、ＰｒｏＳｅはＤ２Ｄ動作と混用されることができる。さて、ProSeについて述べる。
【００５０】
ＰｒｏＳｅには、ＰｒｏＳｅ直接通信（ｃｏｍｍｕｎｉｃａｔｉｏｎ）とＰｒｏＳｅ直接発見（ｄｉｒｅｃｔ  ｄｉｓｃｏｖｅｒｙ）がある。ＰｒｏＳｅ直接通信は、近接した２以上の端末間で実行される通信を意味する。前記端末は、ユーザ平面のプロトコルを利用して通信を実行することができる。ＰｒｏＳｅ可能端末（ＰｒｏＳｅ−ｅｎａｂｌｅｄ  ＵＥ）は、ＰｒｏＳｅの要求条件と関連している手順をサポートする端末を意味する。別の言及がない場合、ＰｒｏＳｅ可能端末は、公用安全端末（ｐｕｂｌｉｃ  ｓａｆｅｔｙ  ＵＥ）と非公用安全端末（ｎｏｎ−ｐｕｂｌｉｃ  ｓａｆｅｔｙ  ＵＥ）を両方とも含む。公用安全端末は、公用安全に特化された機能とＰｒｏＳｅ過程を両方ともサポートする端末であり、非公用安全端末は、ＰｒｏＳｅ過程はサポートするが、公用安全に特化された機能はサポートしない端末である。
【００５１】
ＰｒｏＳｅ直接発見（ＰｒｏＳｅ  ｄｉｒｅｃｔ  ｄｉｓｃｏｖｅｒｙ）は、ＰｒｏＳｅ可能端末が、隣接した他のＰｒｏＳｅ可能端末を発見するための過程であり、このとき、前記２個のＰｒｏＳｅ可能端末の能力のみを使用する。ＥＰＣ次元のＰｒｏＳｅ発見（ＥＰＣ−ｌｅｖｅｌ  ＰｒｏＳｅ  ｄｉｓｃｏｖｅｒｙ）は、ＥＰＣが２個のＰｒｏＳｅ可能端末の近接可否を判断し、前記２個のＰｒｏＳｅ可能端末にそれらの近接を知らせる過程を意味する。
【００５２】
以下、便宜上、ＰｒｏＳｅ直接通信はＤ２Ｄ通信といい、ＰｒｏＳｅ直接発見はＤ２Ｄ発見という。
【００５３】
図4は、ＰｒｏＳｅのための基準構造を示す。
【００５４】
図4を参照すると、ＰｒｏＳｅのための基準構造は、Ｅ−ＵＴＲＡＮ、ＥＰＣ、ＰｒｏＳｅ応用プログラムを含む複数の端末、ＰｒｏＳｅ応用サーバ（ＰｒｏＳｅ  ＡＰＰ  ｓｅｒｖｅｒ）、及びＰｒｏＳｅ機能（ＰｒｏＳｅ  ｆｕｎｃｔｉｏｎ）を含む。
【００５５】
ＥＰＣは、Ｅ−ＵＴＲＡＮコアネットワーク構造を代表する。ＥＰＣは、ＭＭＥ、Ｓ−ＧＷ、Ｐ−ＧＷ、政策及び課金規則（ｐｏｌｉｃｙ  ａｎｄ  ｃｈａｒｇｉｎｇ  ｒｕｌｅｓ  ｆｕｎｃｔｉｏｎ：ＰＣＲＦ）、ホーム加入者サーバ（ｈｏｍｅ  ｓｕｂｓｃｒｉｂｅｒ  ｓｅｒｖｅｒ：ＨＳＳ）などを含むことができる。
【００５６】
ＰｒｏＳｅ応用サーバは、応用機能を作成するためのＰｒｏＳｅ能力のユーザである。ＰｒｏＳｅ応用サーバは、端末内の応用プログラムと通信することができる。端末内の応用プログラムは、応用機能を作成するためのＰｒｏＳｅ能力を使用することができる。
【００５７】
ＰｒｏＳｅ機能は、下記のうち少なくとも一つを含むことができるが、必ずこれに制限されるものではない。
【００５８】
−第３者応用プログラムに向かう基準点を介したインターワーキング（Ｉｎｔｅｒｗｏｒｋｉｎｇ  ｖｉａ  ａ  ｒｅｆｅｒｅｎｃｅ  ｐｏｉｎｔ  ｔｏｗａｒｄｓ  ｔｈｅ  ３ｒｄ  ｐａｒｔｙ  ａｐｐｌｉｃａｔｉｏｎｓ）
【００５９】
−発見及び直接通信のための認証及び端末に対する設定（Ａｕｔｈｏｒｉｚａｔｉｏｎ  ａｎｄ  ｃｏｎｆｉｇｕｒａｔｉｏｎ  ｏｆ  ｔｈｅ  ＵＥ  ｆｏｒ  ｄｉｓｃｏｖｅｒｙ  ａｎｄ  ｄｉｒｅｃｔ  ｃｏｍｍｕｎｉｃａｔｉｏｎ）
【００６０】
−ＥＰＣ次元のＰｒｏＳｅ発見の機能（Ｅｎａｂｌｅ  ｔｈｅ  ｆｕｎｃｔｉｏｎａｌｉｔｙ  ｏｆ  ｔｈｅ  ＥＰＣ  ｌｅｖｅｌ  ＰｒｏＳｅ  ｄｉｓｃｏｖｅｒｙ）
【００６１】
−ＰｒｏＳｅと関連した新しい加入者データ及びデータ格納調整、ＰｒｏＳｅ  ＩＤの調整（ＰｒｏＳｅ  ｒｅｌａｔｅｄ  ｎｅｗ  ｓｕｂｓｃｒｉｂｅｒ  ｄａｔａ  ａｎｄ  ｈａｎｄｌｉｎｇ  ｏｆ  ｄａｔａ  ｓｔｏｒａｇｅ、ａｎｄ  ａｌｓｏ  ｈａｎｄｌｉｎｇ  ｏｆ  ＰｒｏＳｅ  ｉｄｅｎｔｉｔｉｅｓ）
【００６２】
−セキュリティ関連機能（Ｓｅｃｕｒｉｔｙ  ｒｅｌａｔｅｄ  ｆｕｎｃｔｉｏｎａｌｉｔｙ）
【００６３】
−政策関連機能のためにＥＰＣに向かう制御提供（Ｐｒｏｖｉｄｅ  ｃｏｎｔｒｏｌ  ｔｏｗａｒｄｓ  ｔｈｅ  ＥＰＣ  ｆｏｒ  ｐｏｌｉｃｙ  ｒｅｌａｔｅｄ  ｆｕｎｃｔｉｏｎａｌｉｔｙ）
【００６４】
−課金のための機能提供（Ｐｒｏｖｉｄｅ  ｆｕｎｃｔｉｏｎａｌｉｔｙ  ｆｏｒ  ｃｈａｒｇｉｎｇ（ｖｉａ  ｏｒ  ｏｕｔｓｉｄｅ  ｏｆ  ＥＰＣ、例えば、ｏｆｆ  ｌｉｎｅ  ｃｈａｒｇｉｎｇ））
【００６５】
以下、ＰｒｏＳｅのための基準構造において、基準点と基準インターフェースを説明する
【００６６】
−ＰＣ１：端末内のＰｒｏＳｅ応用プログラムとＰｒｏＳｅ応用サーバ内のＰｒｏＳｅ応用プログラムとの間の基準点である。これは応用次元でシグナリング要求条件を定義するために使われる。
【００６７】
−ＰＣ２：ＰｒｏＳｅ応用サーバとＰｒｏＳｅ機能との間の基準点である。これはＰｒｏＳｅ応用サーバとＰｒｏＳｅ機能との間の相互作用を定義するために使われる。ＰｒｏＳｅ機能のＰｒｏＳｅデータベースの応用データアップデートが前記相互作用の一例になることができる。
【００６８】
−ＰＣ３：端末とＰｒｏＳｅ機能との間の基準点である。端末とＰｒｏＳｅ機能との間の相互作用を定義するために使われる。ＰｒｏＳｅ発見及び通信のための設定が前記相互作用の一例になることができる。
【００６９】
−ＰＣ４：ＥＰＣとＰｒｏＳｅ機能との間の基準点である。ＥＰＣとＰｒｏＳｅ機能との間の相互作用を定義するために使われる。前記相互作用は、端末間に１：１通信のための経路を設定する時、またはリアルタイムセッション管理や移動性管理のためのＰｒｏＳｅサービスを認証する時を例示することができる。
【００７０】
−ＰＣ５：端末間に発見及び通信、中継、１：１通信のために制御／ユーザ平面を使用するための基準点である。
【００７１】
−ＰＣ６：互いに異なるＰＬＭＮに属するユーザ間にＰｒｏＳｅ発見のような機能を使用するための基準点である。
【００７２】
−ＳＧｉ：応用データ及び応用次元制御情報交換のために使われることができる。
【００７３】
D2Dの動作は、端末がネットワーク（セル）のカバレッジ内でサービスを受ける場合や、ネットワークのカバレッジを外れた場合の両方でサポートされることができる。
【００７４】
図5は、 D2Dの動作を実行する端末とセルカバレッジの配置例を示す。
【００７５】
図5（ａ）を参照すると、端末Ａ及びＢは、セルカバレッジ外に位置できる。図5（ｂ）を参照すると、端末Ａは、セルカバレッジ内に位置し、端末Ｂは、セルカバレッジ外に位置できる。図5（ｃ）を参照すると、端末Ａ及びＢは、両方とも単一セルカバレッジ内に位置できる。図5（ｄ）を参照すると、端末Ａは、第１のセルのカバレッジ内に位置し、端末Ｂは、第２のセルのカバレッジ内に位置できる。
【００７６】
D2Dの動作は、図5に示すようにさまざまな場所にある端末間で行われることができる。
【００７７】
＜D2D通信(ＰｒｏＳｅ直接通信)のための無線リソース割当＞
【００７８】
D2D通信のためのリソースの割り当てには、 次の2つのモードのうち少なくとも一つを利用することができる。
【００７９】
１．モード１
【００８０】
モード１は、ＰｒｏＳｅ直接通信のためのリソースを基地局からスケジューリングを受けるモードである。モード１により端末がデータを送信するためにはＲＲＣ＿ＣＯＮＮＥＣＴＥＤ状態でなければならない。端末は、送信リソースを基地局に要求し、基地局は、スケジューリング割当及びデータ送信のためのリソースをスケジューリングする。端末は、基地局にスケジューリング要求を送信し、ＰｒｏＳｅ  ＢＳＲ（Ｂｕｆｆｅｒ  Ｓｔａｔｕｓ  Ｒｅｐｏｒｔ）を送信することができる。基地局は、ＰｒｏＳｅ  ＢＳＲに基づいて、前記端末がＰｒｏＳｅ直接通信をするデータを有しており、この送信のためのリソースが必要であると判断する。
【００８１】
２．モード２
【００８２】
モード２は、端末が直接リソースを選択するモードである。端末は、リソースプール（ｒｅｓｏｕｒｃｅ  ｐｏｏｌ）で直接ＰｒｏＳｅ直接通信のためのリソースを選択する。リソースプールは、ネットワークにより設定され、または予め決めることができる。
【００８３】
一方、端末がサービングセルを有している場合、即ち、端末が基地局とＲＲＣ＿ＣＯＮＮＥＣＴＥＤ状態にある場合、またはＲＲＣ＿ＩＤＬＥ状態で特定セルに位置した場合、前記端末は、基地局のカバレッジ内にあると見なされる。
【００８４】
端末がカバレッジ外にある場合、前記モード２のみ適用されることができる。もし、端末がカバレッジ内にある場合、基地局の設定によってモード１またはモード２を使用することができる。
【００８５】
他の例外的な条件がない場合、基地局が設定した時にのみ、端末は、モード１からモード２に、またはモード２からモード１にモードを変更することができる。
【００８６】
＜D2D発見(ＰｒｏＳｅ直接発見: ＰｒｏＳｅ  ｄｉｒｅｃｔ  ｄｉｓｃｏｖｅｒｙ）＞
【００８７】
D2D発見は、ＰｒｏＳｅ可能端末が、近接した他のＰｒｏＳｅ可能端末を発見するときに使われる手順を意味し、ＰｒｏＳｅ直接発見とも呼ばれる。ＰｒｏＳｅ直接発見に使われる情報を発見情報（ｄｉｓｃｏｖｅｒｙ  ｉｎｆｏｒｍａｔｉｏｎ）という。
【００８８】
D2D発見のためにPC5インターフェースが使用することができる。ＰＣ５インターフェースは、ＭＡＣ階層、ＰＨＹ階層と上位階層であるＰｒｏＳｅ  Ｐｒｏｔｏｃｏｌ階層で構成される。上位階層（ＰｒｏＳｅ  Ｐｒｏｔｏｃｏｌ）で発見情報（ｄｉｓｃｏｖｅｒｙ  ｉｎｆｏｒｍａｔｉｏｎ）のお知らせ（ａｎｏｕｎｃｅｍｅｎｔ：以下、アナウンスメント）及びモニタリング（ｍｏｎｉｔｏｒｉｎｇ）に対する許可を扱い、発見情報の内容は、ＡＳ（ａｃｃｅｓｓ  ｓｔｒａｔｕｍ）に対して透明（ｔｒａｎｓｐａｒｅｎｔ）である。ＰｒｏＳｅ  Ｐｒｏｔｏｃｏｌは、アナウンスメントのために有効な発見情報のみがＡＳに伝達されるようにする。 ＭＡＣ階層は、上位階層（ＰｒｏＳｅ  Ｐｒｏｔｏｃｏｌ）から発見情報を受信する。ＩＰ階層は、発見情報送信のために使われない。ＭＡＣ階層は、上位階層から受けた発見情報をアナウンスするために使われるリソースを決定する。ＭＡＣ階層は、発見情報を伝送するＭＡＣ  ＰＤＵ（ｐｒｏｔｏｃｏｌ  ｄａｔａ  ｕｎｉｔ）を作成して物理階層に送る。ＭＡＣヘッダは追加されない。
【００８９】
発見情報アナウンスメントのために二つのタイプのリソース割当がある。
【００９０】
１．タイプ１
【００９１】
発見情報のアナウンスメントのためのリソースが、端末特定的でなく割り当てられる方法であり、基地局が端末に発見情報アナウンスメントのためのリソースプール設定を提供する。この設定は、システム情報ブロック（system information block：SIB）に含まれるブロードキャスト方式でシグナリングされることができる。または上記の設定は、端末特定的RRCメッセージに含まれて提供されることができる。または上記の設定は、RRCメッセージのほか、他の層のブロードキャストシグナリングまたは端末特定情報シグナリングになることもある。
【００９２】
端末は、指示されたリソースプールから自立的にリソースを選択し、選択したリソースを利用して発見情報をアナウンスする。端末は、各発見周期（ｄｉｓｃｏｖｅｒｙ  ｐｅｒｉｏｄ）中に任意に選択したリソースを介して発見情報をアナウンスすることができる。
【００９３】
２．タイプ２
【００９４】
発見情報のアナウンスメントのためのリソースが、端末特定的に割り当てられる方法である。ＲＲＣ＿ＣＯＮＮＥＣＴＥＤ状態にある端末は、ＲＲＣ信号を介して基地局に発見信号アナウンスメントのためのリソースを要求することができる。基地局は、ＲＲＣ信号で発見信号アナウンスメントのためのリソースを割り当てることができる。端末に設定されたリソースプール内で発見信号モニタリングのためのリソースが割り当てられることができる。
【００９５】
ＲＲＣ＿ＩＤＬＥ状態にある端末に対して、基地局は、１）発見信号アナウンスメントのためのタイプ１のリソースプールをＳＩＢで知らせることができる。ＰｒｏＳｅ直接発見が許容された端末は、ＲＲＣ＿ＩＤＬＥ状態で発見情報アナウンスメントのためにタイプ１のリソースプールを利用する。または、基地局は、２）ＳＩＢを介して前記基地局が、ＰｒｏＳｅ直接発見はサポートすることを知らせるが、発見情報アナウンスメントのためのリソースは提供しない。この場合、端末は、発見情報アナウンスメントのためにはＲＲＣ＿ＣＯＮＮＥＣＴＥＤ状態に進入しなければならない。
【００９６】
ＲＲＣ＿ＣＯＮＮＥＣＴＥＤ状態にある端末に対して、基地局は、ＲＲＣ信号を介して前記端末が発見情報アナウンスメントのためにタイプ１のリソースプールを使用するか、またはタイプ２のリソースを使用するかを設定することができる。
【００９７】
以下、本発明に対して説明する。
【００９８】
以下では複数個の搬送波上でＶ２Ｘ（ＶＥＨＩＣＬＥ−ＴＯ−ＥＶＥＲＹＴＨＩＨＧ）制御／データメッセージを効率的に送信／受信する方法を提案する。前記複数個の搬送波は、事前に設定されたり端末にシグナリングされたりすることができる。Ｖ２Ｘは、端末対端末間の通信という側面で、前述したＤ２Ｄ動作を適用することができる。
【００９９】
まず、Ｖ２Ｘにおいて、‘Ｘ’は歩行者（ＰＥＤＥＳＴＲＩＡＮ）を意味する。この場合、Ｖ２Ｘは、Ｖ２Ｐで表示することができ、車両（または、車両に設置された装置）と歩行者が有している装置との間の通信を意味する。ここで、歩行者は、必ず歩いて移動する人間に限定されるものではなく、自転車に乗っている人間、（一定速度以下）車両の運転手または乗客も含むことができる。
【０１００】
または、Ｖ２Ｘにおいて、‘Ｘ’は、車両（ＶＥＨＩＣＬＥ）である。この場合、Ｖ２Ｘは、Ｖ２Ｖで表示することができ、車両間の通信を意味する。または、‘Ｘ’は、インフラストラクチャ（Ｉｎｆｒａｓｔｒｕｃｔｕｒｅ）／ネットワーク（Ｎｅｔｗｏｒｋ）である。この場合、Ｖ２Ｘは、Ｖ２ＩまたはＶ２Ｎで表示することができ、車両とロードサイド装置（ＲＯＡＤＳＩＤＥ  ＵＮＩＴ：ＲＳＵ）または車両とネットワークとの通信を意味する。ロードサイド装置は、交通関連インフラストラクチャ、例えば、速度を知らせる装置である。ロードサイド装置は、基地局または固定された端末などに具現されることができる。
【０１０１】
以下、説明の便宜のために、歩行者（または、人間）が有するＶ２Ｐ通信関連デバイスを‘Ｐ−ＵＥ’といい、車両に設置されたＶ２Ｘ通信関連デバイスを‘Ｖ−ＵＥ’という。本発明において、‘エンティティ（ＥＮＴＩＴＹ）’という用語は、Ｐ−ＵＥ、Ｖ−ＵＥ、ＲＳＵ、ネットワーク、インフラストラクチャのうち少なくとも一つとして解釈されることができる。
【０１０２】
本発明において、‘搬送波／セル’は、Ｖ２Ｘ制御／データメッセージ送信（ＴＸ）及び／または受信（ＲＸ）用途で事前に設定されたりシグナリングされたりした‘リソースプール（ＲＥＳＯＵＲＣＥ  ＰＯＯＬ）’と解釈されることができる。
【０１０３】
Ｖ２Ｘ制御／データメッセージの衝突（ＣＯＬＬＩＳＩＯＮ）／混雑（ＣＯＮＧＥＳＴＩＯＮ）などによるＶ２Ｘ制御／データメッセージの受信／送信関連信頼度減少を緩和するために、事前に定義されたりシグナリングされたりした‘領域（ｒｅｇｉｏｎ）’別にＶ２Ｘ制御／データメッセージ送信／受信関連した搬送波／セルが異なるように設定されることができる。
【０１０４】
ここで、‘領域’とは、（１）地理的に区分された領域、（２）Ｖ２Ｖエンティティ（例えば、基地局（／端末）タイプのＲＳＵ）の通信カバレッジにより区分された領域のうち少なくとも一つとして解釈できる。
【０１０５】
以下、説明の便宜のために、２個の領域を領域＃Ａ（ＲＥＧＩＯＮ＃Ａ）、領域＃Ｂ（ＲＥＧＩＯＮ＃Ｂ）といい、領域＃Ａ及びＢは、互いに隣接した状況を仮定する。このような状況下で、領域別Ｖ２Ｘ制御／データメッセージ送信／受信関連搬送波／セルは、下記のように設定されることができる。
【０１０６】
Ｖ２Ｘ制御／データメッセージ送信／受信関連搬送波／セルは、プライマリ搬送波（／セル）＃Ａ（これをＰ−搬送波（／セル）＃Ａで表示）、セカンダリ搬送波（／セル）＃Ｂ、（Ｓ−搬送波（／セル）＃Ｂで表示）、セカンダリ搬送波（／セル）＃Ｃ、セカンダリ搬送波（／セル）＃Ｄで構成された状況を仮定する。
【０１０７】
（規則＃Ａ）隣接した領域である領域＃Ａ、領域＃Ｂで、Ｐ−搬送波（／セル）＃ＡがＶ２Ｘ制御／データメッセージ送信／受信用途で共通に設定されることができる。
【０１０８】
それに対し、Ｓ−搬送波（／セル）＃ＢとＳ−搬送波（／セル）＃Ｃは、領域＃Ａ及び領域＃ＢにＶ２Ｘデータ／制御メッセージ送信／受信用途で各々独立に設定されることができる。これは異なる（または、隣接した）領域間にＶ２Ｘ制御／データメッセージ送信／受信関連一部搬送波／セルが独立に（または、異なるように）設定されたと解釈できる。
【０１０９】
Ｐ−搬送波（／セル）＃Ａ上では‘Ｖ２Ｘ制御メッセージ送信／受信’と‘Ｖ２Ｘデータメッセージ送信／受信）’が両方とも許容されるように設定され、Ｓ−搬送波（／セル）＃ＢとＳ−搬送波（／セル）＃Ｃ上では‘Ｖ２Ｘデータメッセージ送信／受信’のみが許容されるように設定されることができる。例えば、Ｐ−搬送波（／セル）で送信されたり受信されたりするＶ２Ｘ制御メッセージがＳ−搬送波（／セル）で送信／受信されるＶ２Ｘデータメッセージに対するスケジューリング情報を知らせる形態になることができる。
【０１１０】
図６は、規則＃Ａによる領域別搬送波設定を例示する。
【０１１１】
図６を参照すると、領域＃ＡにはＰ−搬送波＃Ａ及びＳ−搬送波＃Ｂが設定されることができる。領域＃ＢにはＰ−搬送波＃Ａ及びＳ−搬送波＃Ｃが設定されることができる。前述したように、Ｐ−搬送波＃Ａを介してはＶ２Ｘ制御信号及びＶ２Ｘデータの送受信が両方とも許容されるように設定され、Ｓ−搬送波＃Ｂ及びＳ−搬送波＃Ｃを介してはＶ２Ｘデータの送受信のみが許容されるように設定されることができる。Ｐ−搬送波＃Ａ、Ｓ−搬送波＃Ｂ、Ｓ−搬送波＃Ｃは、互いに異なる帯域の搬送波である。図６では、便宜上、搬送波と表示したが、搬送波は、セルと表示されることもできる。
【０１１２】
図７は、本発明の一実施例に係る端末のＶ２Ｘ信号送受信方法を示す。
【０１１３】
図７を参照すると、端末は、第１の領域及び第２の領域に共通に設定された第１の搬送波を介してＶ２Ｘ制御信号（及び／またはＶ２Ｘデータ）を送受信する（Ｓ１１０）。
【０１１４】
また、端末は、前記第１の領域に設定された第２の搬送波または前記第２の領域に設定された第３の搬送波を介してＶ２Ｘデータを送受信する（Ｓ１２０）。
【０１１５】
前記方法を図６の例示に適用すると、端末は、領域＃Ａ及び領域＃Ｂに共通に設定された搬送波、即ち、Ｐ−搬送波＃Ａを介してＶ２Ｘ制御信号（及び／またはＶ２Ｘデータ）を送受信し、領域＃Ａに設定されたＳ−搬送波＃Ｂまたは領域＃Ｂに設定されたＳ−搬送波＃Ｃを介してＶ２Ｘデータを送受信することができる。
【０１１６】
このような（規則＃Ａ）が適用される場合、Ｖ２Ｘエンティティ、例えば、Ｖ−ＵＥ、Ｐ−ＵＥは、‘事前に定義されたりシグナリングされたりした周期値によって周期的に’または‘優先的に’Ｐ−搬送波（／セル）＃Ａをモニタリングすることで、異なる（または、隣接した）領域境界にある時または異なる（または、隣接した）領域の境界を通過する時にも、異なる（または、隣接した）領域関連Ｖ２Ｘ通信を効率的に持続することができる。
【０１１７】
（規則＃Ｂ）領域＃ＡにＰ−搬送波（／セル）＃ＡとＳ−搬送波（／セル）＃ＢがＶ２Ｘ制御（／データ）メッセージ送信（／受信）用途で設定され、領域＃ＢにＳ−搬送波（／セル）＃ＣとＳ−搬送波（／セル）＃ＤがＶ２Ｘ制御（／データ）メッセージ送信（／受信）用途で設定されることができる。即ち、異なる（または、隣接した）領域間にＶ２Ｘ制御／データメッセージ送信／受信関連搬送波／セルが全て独立に（または、異なるように）設定されたと解釈できる。一例として、Ｐ−搬送波（／セル）＃Ａ（領域＃Ａ）、Ｓ−搬送波（／セル）＃Ｃ（領域＃Ｂ）上では‘Ｖ２Ｘ制御メッセージ送信／受信’と‘Ｖ２Ｘデータメッセージ送信／受信’が両方とも許容されるように設定され、Ｓ−搬送波（／セル）＃Ｂ（領域＃Ａ）とＳ−搬送波（／セル）＃Ｄ（領域＃Ｂ）上では‘Ｖ２Ｘデータメッセージ送信／受信’のみが許容されるように設定されることができる。
【０１１８】
例えば、Ｐ−搬送波（／セル）＃Ａ及びＳ−搬送波（／セル）＃Ｃで送信／受信されるＶ２Ｘ制御メッセージがＳ−搬送波（／セル）＃Ｂ及びＳ−搬送波（／セル）＃Ｄで送信／受信されるＶ２Ｘデータメッセージに対するスケジューリング情報を各々知らせる形態になることができる。
【０１１９】
図８は、規則＃Ｂによる領域別搬送波設定を例示する。
【０１２０】
図８を参照すると、領域＃ＡにはＰ−搬送波＃Ａ及びＳ−搬送波＃Ｂが設定されることができる。領域＃ＢにはＳ−搬送波＃Ｃ及びＳ−搬送波＃Ｄが設定されることができる。そのとき、領域＃ＡではＰ−搬送波＃Ａを介してはＶ２Ｘ制御信号及びＶ２Ｘデータの送受信が両方とも許容されるように設定され、領域＃ＢではＳ−搬送波＃Ｃを介してのみＶ２Ｘ制御信号及びＶ２Ｘデータの送受信が両方とも許容されるように設定されることができる。Ｓ−搬送波＃Ｂ及びＳ−搬送波＃Ｄを介してはＶ２Ｘデータの送受信のみが許容されるように設定されることができる。Ｐ−搬送波＃Ａ、Ｓ−搬送波＃Ｂ、Ｓ−搬送波＃Ｃ、Ｓ−搬送波＃Ｄは、互いに異なる帯域の搬送波である。図８では、便宜上、搬送波と表示したが、搬送波は、セルと表示されることもできる。
【０１２１】
一例として、（規則＃Ｂ）が適用される場合、Ｖ２Ｘエンティティ、例えば、Ｖ−ＵＥ及びＰ−ＵＥは、自分が属する領域のＶ２Ｘ制御／データメッセージ受信／送信関連搬送波（／セル）（例：Ｐ−搬送波（／セル）＃Ａ及び／またはＳ−搬送波（／セル）＃Ｂ（領域＃Ａ）、Ｓ−搬送波（／セル）＃Ｃ（及び／またはＳ−搬送波（／セル）＃Ｄ）（領域＃Ｂ））を‘事前に定義されたりシグナリングされたりした周期値によって周期的に’または‘優先的に’Ｐ−搬送波（／セル）＃Ａをモニタリングすることができる。
【０１２２】
Ｖ２Ｘ送信エンティティが異なる（または、隣接した）領域の境界にある時または異なる（または、隣接した）領域の境界を通過する時に自分が属する（既存）領域関連（Ｖ２Ｘ制御／データメッセージ送信／受信搬送波（／セル）だけでなく、隣接した（または、異なる）領域関連（Ｖ２Ｘ制御／データメッセージ送信／受信）搬送波（／セル）でもＶ２Ｘ（制御／データ）メッセージ送信動作を実行するように設定されることができる。
【０１２３】
他の一例として、Ｖ２Ｘ受信エンティティをして、自分が属する領域関連（Ｖ２Ｘ制御／データメッセージ受信／送信）搬送波（／セル）だけでなく、隣接した（または、異なる）領域関連（Ｖ２Ｘ制御／データメッセージ受信／送信）搬送波（／セル）も‘事前に定義されたりシグナリングされたりした周期値によって周期的に’モニタリングするように設定されることができる。
【０１２４】
図９は、本発明の他の実施例に係る端末のＶ２Ｘ信号送受信方法を示す。
【０１２５】
図９を参照すると、端末は、第１の領域と第２の領域の境界に位置するかどうかを判断する（Ｓ２１０）。
【０１２６】
第１の領域と第２の領域の境界に位置する場合、端末は、自分が属する領域でない他の領域に設定された搬送波も利用してＶ２Ｘ信号を送受信する（Ｓ２２０）。
【０１２７】
前記方法が適用される場合、たとえ、異なる（または、隣接した）領域間にＶ２Ｘ制御／データメッセージ送信／受信関連搬送波／セルが全て独立に（または、異なるように）設定されるとしても、異なる（または、隣接した）領域関連Ｖ２Ｘ通信（ら）が連続的にまたは効率的に実行されることができる。
【０１２８】
前記説明した一部または全ての規則（例えば、規則＃Ａ、規則＃Ｂ）が適用されるとき、Ｖ２Ｘエンティティ（例：Ｖ−ＵＥ、Ｐ−ＵＥ）をして、自分が属する領域関連Ｖ２Ｘ制御／データメッセージ受信搬送波（／セル）上で事前に定義されたりシグナリングされたりした相対的に高い優先順位のＶ２Ｘ制御／データメッセージ（これを‘ＨＰ＿ＲＸＭＳＧ’という）を受信（または、自分が属する領域関連Ｖ２Ｘ制御／データメッセージ送信搬送波（／セル）上で事前に定義されたりシグナリングされたりした相対的に高い優先順位のＶ２Ｘ制御／データメッセージ（これを‘ＨＰ＿ＴＸＭＳＧ’という）を送信）している場合には、隣接した（または、異なる）領域関連Ｖ２Ｘ制御／データメッセージ受信搬送波（／セル）上で（ＨＰ＿ＲＸＭＳＧ（または、ＨＰ＿ＴＸＭＳＧ）より）相対的に低い優先順位のＶ２Ｘ制御／データメッセージ受信（または、送信）動作（または、相対的に低い優先順位のＶ２Ｘ制御／データメッセージを受信（または、送信）するための‘受信チェーンスイッチング’（または、‘送信チェーンスイッチング’）動作）を実行しないように設定されることができる。
【０１２９】
このような規則は、Ｖ２Ｘ制御／データメッセージ受信（／送信）用途で設定された搬送波／セルの個数が自分の‘受信チェーン能力’（または、‘送信チェーン能力’）より多いＶ２Ｘ受信（／送信）エンティティにのみ限定的に適用されるように設定されることができる。以下、このようなエンティティを‘制限された能力Ｖ２Ｘエンティティ’、より具体的に‘制限された受信能力Ｖ２Ｘエンティティ’または‘制限された送信能力Ｖ２Ｘエンティティ’ということができる。
【０１３０】
前記規則の適用は、特定Ｖ２Ｘ受信（／送信）エンティティが（Ｖ２Ｘ制御（／データ）メッセージ受信（／送信）用途で設定された）特定搬送波（／セル）上で事前に定義された（または、シグナリングされた）相対的に高い優先順位のＶ２Ｘ制御（／データ）メッセージを受信（または、送信）している場合には、他の（Ｖ２Ｘ制御（／データ）メッセージ受信（／送信））搬送波（／セル）上で相対的に低い優先順位のＶ２Ｘ制御（／データ）メッセージ受信（または、送信）動作（または、相対的に低い優先順位のＶ２Ｘ制御（／データ）メッセージを受信（または、送信）するための‘ＲＸチェーンスイッチング’（または、‘ＴＸチェーンスイッチング’）動作）を実行しないと解釈されることができる。
【０１３１】
一例として、規則＃Ｂ及び／または規則＃Ａが適用されるとき、もし、‘制限された送信（／受信）能力Ｖ２Ｘエンティティ’が自分の属する領域（領域＃Ａ）関連Ｖ２Ｘ制御（／データ）メッセージ送信（／受信）搬送波（／セル）だけでなく、隣接した（または、異なる）領域（領域＃Ｂ）関連Ｖ２Ｘ制御（／データ）メッセージ送信（／受信）搬送波（／セル）上でもＶ２Ｘ制御（／データ）メッセージを（同時に）送信（／受信）しなければならない場合、‘送信（／受信）チェーンスイッチング時間’（または、‘搬送波スイッチング時間’）を考慮し、‘ＴＤＭ’形態で実行するように設定されることができる。
【０１３２】
図１０は、制限された能力のＶ２Ｘエンティティが互いに異なる搬送波で同時に信号を送受信するように設定するメッセージを受信した場合の動作方法を例示する。
【０１３３】
図１０を参照すると、第１の領域に位置する‘制限された能力のＶ２Ｘエンティティ’が第１の領域に設定された第１の搬送波及び第２の領域に設定された第２の搬送波を介して信号の同時送／受信を設定するメッセージを受信することができる（Ｓ３１０）。
【０１３４】
制限された能力のＶ２Ｘエンティティは、第１の領域に設定された第１の搬送波で信号の送／受信実行後、送／受信チェーンスイッチングを実行する（Ｓ３２０）。
【０１３５】
制限された能力のＶ２Ｘエンティティは、第２の領域に設定された第２の搬送波で信号の送／受信を実行する（Ｓ３３０）。
【０１３６】
このような規則は、該当‘制限された送信（／受信）能力Ｖ２Ｘエンティティ’が異なる（または、隣接した）領域の境界にある時（または、異なる（または、隣接した）領域の境界を通過する時）にのみ限定的に適用するように設定されることができる。
【０１３７】
一方、規則＃Ｂ及び／または規則＃Ａが適用されるとき、もし、‘多重−Ｖ２Ｘ送信（／受信）搬送波送信（／受信）能力’を有するＶ２Ｘ送信（／受信）エンティティが自分の属する領域（領域＃Ａ）関連Ｖ２Ｘ制御（／データ）メッセージ送信（／受信）搬送波（／セル）（これを‘ＯＲＩ＿ＴＸＣＣ’という）だけでなく、隣接した（または、異なる）領域（領域＃Ｂ）関連Ｖ２Ｘ制御（／データ）メッセージ送信（／受信）搬送波（／セル）（これを‘ＮＥＧ＿ＴＸＣＣ’という）上でもＶ２Ｘ制御（／データ）メッセージを（同時に）送信（／受信）しなければならない場合、‘ＴＤＭ’形態でなく、ＯＲＩ＿ＴＸＣＣとＮＥＧ＿ＴＸＣＣ上で同時送信（／受信）を実行するように設定されることができる。
【０１３８】
図１１は、制限された能力のＶ２Ｘエンティティの動作と多重搬送波送信（／受信）能力を有するＶ２Ｘエンティティの動作を比較した図面である。
【０１３９】
図１１を参照すると、領域＃ＡにＶ２Ｘ制御（／データ）メッセージ送信（／受信）関連Ｐ−搬送波（／セル）＃ＡとＳ−搬送波（／セル）＃Ｂが設定され、領域＃ＢにＶ２Ｘ制御（／データ）メッセージ送信（／受信）関連Ｓ−搬送波（／セル）＃ＣとＳ−搬送波（／セル）＃Ｄが設定されることができる。
【０１４０】
例えば、自分が属する領域の搬送波（／セル）と隣接した他の領域の搬送波（／セル）とを介して同時にＶ２Ｘ信号を送信するように設定されたメッセージを受信した場合、制限された能力のＶ２Ｘエンティティは、ＴＤＭ形態で動作するが、多重搬送波送信（／受信）能力を有するＶ２Ｘエンティティは、同時送信を実行することができる。即ち、制限された能力のＶ２Ｘエンティティは、Ｐ−搬送波（／セル）＃Ａのサブフレーム＃２で信号を送信して搬送波スイッチング（１ｍｓと仮定、送信チェーンスイッチングともいう）後、Ｓ−搬送波（／セル）＃Ｃのサブフレーム＃４を介してＶ２Ｘ信号を送信するようになる。それに対し、多重搬送波送信（／受信）能力を有するＶ２Ｘエンティティは、Ｐ−搬送波（／セル）＃Ａのサブフレーム＃９で信号を送信すると同時にＳ−搬送波（／セル）＃Ｃのサブフレーム＃９を介してＶ２Ｘ信号を同時送信することができる。このような動作は、受信観点でも同様である。
【０１４１】
一方、Ｖ２Ｘ制御／データメッセージ送信用途で設定された特定搬送波（／セル）（これを‘ＣＯＮＧＥＳＴ＿ＣＣ’という）上でＶ２Ｘ制御／データメッセージ送信動作を実行するＶ２Ｘエンティティに、該当ＣＯＮＧＥＳＴ＿ＣＣ関連‘混雑（／負荷）レベル’を緩和させるために、事前に定義された（ＬＴＥ）サービング基地局（または、ＩＴＳ（Ｉｎｔｅｒｎｅｔ  Ｔｒａｎｓａｃｔｉｏｎ  Ｓｅｒｖｅｒ）サーバまたはＶ２Ｘ機能）がＶ２Ｘデータ（／制御）メッセージ送信動作のみを（Ｖ２Ｘデータ（／制御）メッセージ送信用途で設定された）他の搬送波（／セル）に移動（／スイッチング）するように指示できる。
【０１４２】
または、前記Ｖ２Ｘデータ（／制御）メッセージ送信関連搬送波（／セル）移動（／スイッチング）動作は、Ｖ２Ｘエンティティが該当ＣＯＮＧＥＳＴ＿ＣＣの‘混雑（／負荷）レベル’をエネルギー検出動作などで直接的に把握した後、把握された‘混雑（／負荷）レベル’が事前に定義されたりシグナリングされたりした閾値より高い場合に事前に定義されたりシグナリングされたりした搬送波（／セル）移動（／スイッチング）順序によって、実行するように設定されることができる。
【０１４３】
‘Ｖ２Ｘデータメッセージ’送信動作のみが他の搬送波（／セル）（これを‘ＤＡＴＡＳＷ＿ＣＣ’という）に移動（／スイッチング）される場合、ＣＯＮＧＥＳＴ＿ＣＣ上で送信される‘Ｖ２Ｘ制御メッセージ’には該当制御（／スケジューリング）情報がどの搬送波（／セル）上の‘Ｖ２Ｘデータメッセージ’送信と関連したかを知らせる‘搬送波（／セル）指示フィールド’が含まれることができる。
【０１４４】
ＣＯＮＧＥＳＴ＿ＣＣ上で送信される‘Ｖ２Ｘ制御メッセージ’の‘リソース割当フィールド’の大きさは、‘ＣＯＮＧＥＳＴ＿ＣＣの（Ｖ２Ｘ通信関連）システム帯域幅’と‘ＤＡＴＡＳＷ＿ＣＣの（Ｖ２Ｘ通信関連）システム帯域幅’のうち相対的に大きい（または、小さい）ことによって決定されるように設定されることができる。
【０１４５】
一方、前記提案規則（例：規則＃Ａ、規則＃Ｂ）が適用されるとき、Ｐ−ＵＥ（Ｓ）をして、自分が属する領域の（ＬＴＥ）サービング基地局（または、ＲＳＵ）から事前に定義された指示子（これを‘ＮＧＭＯＮＩ＿ＩＮＤＩ’という）を受信した場合にのみ、自分が属する領域関連Ｖ２Ｘ（制御／データ）メッセージ受信搬送波（／セル）及び／または）隣接した（または、異なる）領域関連Ｖ２Ｘ（制御／データ）メッセージ受信搬送波（／セル）上でＶ２Ｘ（制御／データ）メッセージモニタリング動作を実行するように設定（または、事前に定義されたりシグナリングされたりした周期値によって周期的に自分が属する領域関連Ｖ２Ｘ（制御／データ）メッセージ受信搬送波（／セル）及び／または隣接した（または、異なる）領域関連Ｖ２Ｘ（制御／データ）メッセージ受信搬送波（／セル）上でＶ２Ｘ（データ／データ）メッセージモニタリング動作を実行するように設定）されることができる。
【０１４６】
前記提案規則（例：規則＃Ａ、規則＃Ｂ）が適用される場合、事前に定義された（ＬＴＥ）サービング基地局（または、ＩＴＳサーバまたはＶ２Ｘ機能）は、‘制限された送信能力Ｖ２Ｘエンティティ’に（Ｖ２Ｘ制御／データメッセージ送信用途で設定された）特定搬送波（／セル）の‘混雑（／負荷）レベル’（これを‘ＨＣＧ＿ＣＣ’という）を低くするために、（該当ＨＣＧ＿ＣＣでの）Ｖ２Ｘデータメッセージ送信動作のみを（Ｖ２Ｘデータ（／制御）メッセージ送信用途で設定された）他の搬送波（／セル）に移動（／スイッチング）するように指示できる。
【０１４７】
前記Ｖ２Ｘデータメッセージ送信関連搬送波（／セル）移動（／スイッチング）動作は、Ｖ２Ｘエンティティが該当ＨＣＧ＿ＣＣの‘混雑（／負荷）レベル’をエネルギー検出動作などで直接的に把握した後、把握された‘混雑（／負荷）レベル’が事前に定義されたりシグナリングされたりした閾値より高い場合に事前に定義されたりシグナリングされたりした搬送波（／セル）移動（／スイッチング）順序によって、実行するように設定されることができる。
【０１４８】
図１２は、Ｖ２Ｘ信号送信の混雑度を低くする端末動作を例示する。
【０１４９】
図１２を参照すると、端末が位置する領域でない他の領域に設定された搬送波を介してＶ２Ｘデータメッセージ送信動作を実行することを指示するメッセージをサービング基地局から受信することができる（Ｓ４１０）。
【０１５０】
端末は、第１の領域に設定された第１の搬送波で信号の送信後、送信チェーンスイッチングを実行し（Ｓ４２０）、第２の領域に設定された第２の搬送波で信号の送信を実行することができる（Ｓ４３０）。
【０１５１】
図１３は、図１２の方法による時、制限された能力のＶ２Ｘエンティティが信号を送信するリソースを例示する。
【０１５２】
図１３を参照すると、制限された送信能力のＶ２Ｘエンティティは、Ｐ−搬送波（／セル）＃Ａのサブフレーム＃２でＶ２Ｘ信号を送信する途中に、サービングセルからＰ−搬送波（／セル）＃Ａの混雑度／負荷レベルを低くするためにＳ−搬送波（／セル）＃ＢでＶ２Ｘ信号送信動作の実行に対する指示を受けることができる。前記指示にはＳ−搬送波（／セル）＃Ｂを指示するフィールドが含まれることができる。前記Ｖ２Ｘエンティティは、搬送波スイッチング（送信チェーンスイッチング）後、Ｓ−搬送波（／セル）＃Ｂのサブフレーム＃４、５、６でＶ２Ｘ信号を送信することができる。
【０１５３】
具体的には、Ｐ−搬送波（／セル）＃Ａのサブフレーム＃２ではＶ２Ｘ制御メッセージが送信され、該当Ｖ２Ｘ制御メッセージは、（Ａ）‘Ｐ−搬送波（／セル）＃Ａのサブフレーム＃２で（Ｖ２Ｘ制御メッセージと共に）送信されるＶ２Ｘデータメッセージ’と（Ｂ）‘Ｓ−搬送波（／セル）＃Ｂのサブフレーム＃４、サブフレーム＃５、サブフレーム＃６で送信されるＶ２Ｘデータメッセージ’に対するスケジューリング情報を含むことができる。‘送信（／受信）チェーンスイッチング時間’（または、‘搬送波スイッチング時間’）は‘１ｍｓ’と仮定した。
【０１５４】
図１３において、Ｓ−搬送波（／セル）＃Ｂに対する受信能力がないＶ２Ｘエンティティは、‘Ｐ−搬送波（／セル）＃Ａのサブフレーム＃２で送信されるＶ２Ｘ制御メッセージとＶ２Ｘデータメッセージのみ’を受信するようになり、Ｓ−搬送波（／セル）＃Ｂに対する受信能力があるＶ２Ｘエンティティは、‘Ｐ−搬送波（／セル）＃Ａのサブフレーム＃２で送信されるＶ２Ｘ制御メッセージとＶ２Ｘデータメッセージ’だけでなく、‘Ｓ−搬送波（／セル）＃Ｂのサブフレーム＃４、サブフレーム＃５、サブフレーム＃６で送信されるＶ２Ｘ制御メッセージ’も受信することができる。即ち、Ｓ−搬送波（／セル）＃Ｂに対する受信能力がないＶ２Ｘエンティティに比べてＶ２Ｘメッセージ受信性能が向上することができる。
【０１５５】
前記提案規則（例：規則＃Ａ、規則＃Ｂ）が適用されるとき、‘制限された受信能力Ｖ２Ｘエンティティ’が（Ｖ２Ｘ制御／データメッセージ受信用途で設定された）特定搬送波（／セル）（例：Ｐ−搬送波（／セル）＃Ａ）上で特定Ｖ２Ｘエンティティ（Ｖ２Ｘ  ＥＮＴＩＴＹ＃Ａ）関連Ｖ２Ｘメッセージを受信している途中に、（Ｖ２Ｘ制御／データメッセージ受信用途で設定された）他の搬送波（／セル）（例：Ｓ−搬送波（／セル）＃Ｂ）上で相対的に高い優先順位の他のＶ２Ｘエンティティ（Ｖ２Ｘ  ＥＮＴＩＴＹ＃Ｂ）がＶ２Ｘメッセージを送信するということを把握（／検出）するようになる場合、‘受信チェーンスイッチング’（または、‘搬送波スイッチング’）動作を実行した後に、相対的に高い優先順位の他のＶ２Ｘエンティティ（Ｖ２Ｘ  ＥＮＴＩＴＹ＃Ｂ）が送信するＶ２Ｘメッセージを受信するように設定されることができる。
【０１５６】
相対的に高い優先順位のＶ２Ｘエンティティは、事前に定義されたりシグナリングされたりした相対的に高い優先順位のＶ２Ｘメッセージ（例えば、‘緊急状況発生通知メッセージ’が‘位置情報送信メッセージ’に比べて優先順位が高い。‘周期的メッセージ（例：ＣＡＭ）’より‘イベントトリガリングされたメッセージ（例：ＤＥＮＭ）’の優先順位が高い）を送信すると設定されたり、またはＶ２Ｘメッセージ受信の優先順位側面で事前に定義されたりシグナリングされたりした相対的に高い優先順位のＶ２Ｘエンティティ（例：‘ＲＳＵ’が‘Ｖ−ＵＥ’に比べて優先順位が高い）に設定されることができる。
【０１５７】
前記提案方法は、前記提案規則（例：規則＃Ａ、規則＃Ｂ）が適用されるとき、‘制限された受信能力Ｖ２Ｘエンティティ’が（Ｖ２Ｘ制御／データメッセージ受信用途で設定された）特定搬送波（／セル）（例）Ｐ−搬送波（／セル）＃Ａ）上で特定Ｖ２Ｘメッセージを受信している途中に、（Ｖ２Ｘ制御／データメッセージ受信用途で設定された）他の搬送波（／セル）（例）Ｓ−搬送波（／セル）＃Ｂ）上で相対的に高い優先順位の他のＶ２Ｘメッセージが送信されるということを把握（／検出）するようになる場合、‘受信チェーンスイッチング’（または、‘搬送波スイッチング’）動作を実行した後に、相対的に高い優先順位の他のＶ２Ｘメッセージを受信する形態で拡張されることもできる。
【０１５８】
図１４は、制限された受信能力を有するＶ２Ｘエンティティの動作方法を例示する。
【０１５９】
図１４を参照すると、制限された受信能力を有するＶ２Ｘエンティティ（端末）が第１の搬送波でＶ２Ｘメッセージを受信することができる（Ｓ５１０）。制限された受信能力を有するＶ２Ｘエンティティ（端末）が第２の搬送波で他のＶ２Ｘエンティティが相対的に高い優先順位のＶ２Ｘメッセージを送信することを検出することができる（Ｓ５２０）。前記Ｖ２Ｘエンティティは、受信チェーンスイッチング後、前記第２の搬送波で前記他のＶ２Ｘエンティティが送信するＶ２Ｘメッセージを受信する（Ｓ５３０）。
【０１６０】
図１５は、図１４の方法を適用する時、制限された受信能力Ｖ２Ｘエンティティの動作方法を例示する。
【０１６１】
図１５を参照すると、‘制限された受信能力Ｖ２Ｘエンティティ（Ｖ２Ｘエンティティ＃Ｃと仮定する）’が（Ｖ２Ｘ制御／データメッセージ受信用途で設定された）特定Ｐ−搬送波（／セル）＃Ａのサブフレーム＃２、サブフレーム＃３上で‘相対的に低い優先順位のＶ２Ｘエンティティ＃Ａ関連Ｖ２Ｘ（制御／データ）メッセージ’を受信している途中に、（Ｖ２Ｘ制御／データメッセージ受信用途で設定された）他のＳ−搬送波（／セル）＃Ｂのサブフレーム＃５、サブフレーム＃６、サブフレーム＃７上で‘相対的に高い優先順位の他のＶ２Ｘエンティティ＃ＢがＶ２Ｘ（制御／データ）メッセージ’を送信するということをＰ−搬送波（／セル）＃Ａのサブフレーム＃３でＶ２Ｘエンティティ＃Ｂが送信するＶ２Ｘ（制御（／データ））メッセージ受信（／検出）を介して把握できる。そのとき、制限された受信能力Ｖ２Ｘエンティティ（Ｖ２Ｘエンティティ＃Ｃ）は、‘受信チェーンスイッチング’（または、‘搬送波スイッチング’）動作を実行（‘送信（／受信）チェーンスイッチング時間’（または、‘搬送波スイッチング時間’）は、‘１ｍｓ’と仮定）した後に、相対的に高い優先順位の他のＶ２Ｘエンティティ＃Ｂが送信するＶ２Ｘ（データ（／制御））メッセージを受信するようになる。
【０１６２】
したがって、制限された受信能力Ｖ２Ｘエンティティ（Ｖ２Ｘエンティティ＃Ｃ）が実際に受信するＶ２Ｘメッセージは、Ｐ−搬送波（／セル）＃Ａのサブフレーム＃２、サブフレーム＃３、及びＳ−搬送波（／セル）＃Ｂのサブフレーム＃５、サブフレーム＃６、サブフレーム＃７になる。Ｐ−搬送波（／セル）＃Ａのサブフレーム＃４では送信チェーンスイッチングによりＶ２Ｘエンティティ＃Ａ関連Ｖ２Ｘ（制御／データ）メッセージを受信することができない。
【０１６３】
他の一例として、‘制限された受信能力’のＶ２Ｘエンティティであるが、複数個（例：２）の受信チェーンを有している場合、図１５の状況下で、一つの（専用）受信チェーンをＰ−搬送波（／セル）＃Ａに割り当てることによって、Ｖ２Ｘエンティティ＃Ａが送信するＶ２Ｘメッセージ（Ｐ−搬送波（／セル）＃Ａサブフレーム＃２、サブフレーム＃３、サブフレーム＃４、サブフレーム＃５）、Ｖ２Ｘエンティティ＃Ｂが送信するＶ２Ｘメッセージ（Ｐ−搬送波（／セル）＃Ａサブフレーム＃３）を（持続的に）受信し、残りの一つの受信チェーンを（ＲＸチェーンスイッチング（または、搬送波スイッチング）動作を介して）Ｓ−搬送波（／セル）＃Ｂ（または、Ｖ２Ｘ制御（／データ）メッセージ受信用途で設定された残りの搬送波（／セル））に割り当てることによって、Ｖ２Ｘエンティティ＃Ｂが送信するＶ２Ｘメッセージ（Ｓ−搬送波（／セル）＃Ｂサブフレーム＃５、サブフレーム＃６、サブフレーム＃７）を受信することもできる。
【０１６４】
前記説明した提案方式に対する一例も本発明の具現方法のうち一つとして含まれることができるため、一種の提案方式と見なされることは明白な事実である。また、前記説明した提案方式は、独立に具現されることもできるが、一部提案方式の組み合わせ（または、併合）形態で具現されることもできる。一例として、本発明では、説明の便宜のために、３ＧＰＰ  ＬＴＥ／ＬＴＥ−Ａシステムに基づいて提案方式を説明したが、提案方式が適用されるシステムの範囲は、３ＧＰＰ、ＬＴＥシステム外に他のシステムにも拡張可能である。一例として、本発明の提案方式は、Ｄ２Ｄ通信のためにも拡張適用可能である。ここで、一例として、Ｄ２Ｄ通信は、端末が他の端末と直接無線チャネルを利用して通信することを意味し、ここで、一例として、端末は、ユーザの端末を意味するが、基地局のようなネットワーク装備が端末間の通信方式によって信号を送／受信する場合にも一種の端末と見なされる。
【０１６５】
図１６は、本発明の実施例が具現される端末を示すブロック図である。
【０１６６】
図１６を参照すると、端末１１００は、プロセッサ１１１０、メモリ１１２０及びＲＦ部（ｒａｄｉｏ  ｆｒｅｑｕｅｎｃｙ  ｕｎｉｔ）１１３０を含む。プロセッサ１１１０は、提案された機能、過程及び／または方法を具現する。
【０１６７】
ＲＦ部１１３０は、プロセッサ１１１０と連結されて無線信号を送信及び受信する。
【０１６８】
プロセッサは、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路及び／またはデータ処理装置を含むことができる。メモリは、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／または他の格納装置を含むことができる。ＲＦ部は、無線信号を処理するためのベースバンド回路を含むことができる。実施例がソフトウェアで具現される時、前述した技法は、前述した機能を遂行するモジュール（過程、機能など）で具現されることができる。モジュールは、メモリに格納され、プロセッサにより実行されることができる。メモリは、プロセッサの内部または外部にあり、よく知られた多様な手段でプロセッサと連結されることができる。
【図１】
0006542469.tif 000002
【図２】
0006542469.tif 000003
【図３】
0006542469.tif 000004
【図４】
0006542469.tif 000005
【図５（ａ）】
0006542469.tif 000006
【図５（ｂ）】
0006542469.tif 000007
【図５（ｃ）】
0006542469.tif 000008
【図５（ｄ）】
0006542469.tif 000009
【図６】
0006542469.tif 000010
【図７】
0006542469.tif 000011
【図８】
0006542469.tif 000012
【図９】
0006542469.tif 000013
【図１０】
0006542469.tif 000014
【図１１】
0006542469.tif 000015
【図１２】
0006542469.tif 000016
【図１３】
0006542469.tif 000017
【図１４】
0006542469.tif 000018
【図１５】
0006542469.tif 000019
【図１６】
0006542469.tif 000020